(57)【要約】【課題】主光源ランプと補助光源ランプとを備えた内視鏡用光源装置において、主光源ランプと補助光源ランプの双方からライトガイドファイババンドルに入射する照明光のロスが共に極めて少なくて、照明効率の優れた内視鏡用光源装置を提供すること。【解決手段】主光源ランプ２３からライトガイドファイババンドル１３に入射する有効光線束Ｌ１の外縁に沿って、主光源ランプ２３から放射された平行光線束と略同方向に補助光線束Ｌ２を放射するよう、主光源ランプ２３と収束光学系２４との間の位置に有効光線束Ｌ１を遮らないように配置されたブラケット２７に取り付けられた補助光源ランプ２６を備え、補助光源ランプ２６から射出された補助光線束Ｌ２が収束光学系２４により収束されてライトガイドファイババンドル１３の入射端面１３ａに入射する。【選択図】      図１
2013042902.tif 000002
【特許請求の範囲】
【請求項１】
内視鏡の照明用ライトガイドファイババンドルの入射端面の方に向けて平行光線束を放射するように上記ライトガイドファイババンドルの入射端部軸線の延長線上にあたる位置に配置された主光源ランプと、
上記主光源ランプから放射された平行光線束を上記ライトガイドファイババンドルの入射端面に収束させるための収束光学系と、
上記主光源ランプから上記ライトガイドファイババンドルに入射する有効光線束の外縁に沿って、上記主光源ランプから放射された平行光線束と略同方向に補助光線束を放射するよう、上記主光源ランプから放射された上記有効光線束を遮らないように上記主光源ランプと上記収束光学系との間の位置に配置されたブラケットに取り付けられた補助光源ランプとを備え、
上記補助光源ランプから射出された補助光線束が上記収束光学系により収束されて上記ライトガイドファイババンドルの入射端面に入射することを特徴とする内視鏡用光源装置。
【請求項２】
上記補助光源ランプが、上記主光源ランプから上記ライトガイドファイババンドルに入射する有効光線束の外縁の外側において、互いの間に間隔をあけて上記ブラケットに複数取り付けられている請求項１記載の内視鏡用光源装置。
【請求項３】
上記ブラケットがアーチ型に形成されている請求項１又は２記載の内視鏡用光源装置。
【請求項４】
上記ブラケットが、上記補助光源ランプを機械的に支持すると同時に、上記補助光源ランプに給電をするための導電部材として機能している請求項１ないし３のいずれかの項に記載の内視鏡用光源装置。
【請求項５】
上記ブラケットが、互いの間が電気絶縁された導電部材からなる一対のブラケットで形成されている請求項４記載の内視鏡用光源装置。
【請求項６】
上記ブラケットに放熱フィンが形成されている請求項１ないし５のいずれかの項に記載の内視鏡用光源装置。
【請求項７】
上記補助光源ランプに放熱フィンが形成されている請求項１ないし６のいずれかの項に記載の内視鏡用光源装置。
【請求項８】
上記補助光源ランプが取り付けられた取付基板が上記ブラケットの光束射出側の面に取り付けられて、上記取付基板と上記ブラケットとの間に熱吸収フィルタが配置されている請求項１、２又は３記載の内視鏡用光源装置。
【請求項９】
上記補助光源ランプが発光ダイオードである請求項１ないし８のいずれかの項に記載の内視鏡用光源装置。
【発明の詳細な説明】
【技術分野】
【０００１】
この発明は内視鏡用光源装置に関する。
【背景技術】
【０００２】
内視鏡用光源装置には、内視鏡の照明用ライトガイドファイババンドルに照明光を供給するための光源ランプが内蔵されている。光源ランプは通常は一個だけ設けられているが、主光源ランプの特性を補うために（例えば、撮影時のみの補助光源として、或いは相違する波長の光を補うため等に）、さらに補助光源ランプが併設されているものがある（例えば、特許文献１、２）。
【先行技術文献】
【特許文献】
【０００３】
【特許文献１】特開昭６３−１３０１２
【特許文献２】特開平１０−１５５７３９
【発明の概要】
【発明が解決しようとする課題】
【０００４】
特許文献１の第１図に記載された発明では、主光源ランプと補助光源ランプとが、共にライトガイドファイババンドルの入射端面に対して斜め向きに配置されて、双方の光源ランプからライトガイドファイババンドルに照明光が入射されるようになっている。
【０００５】
同様に、特許文献２の図１４に記載された発明では、主ライトガイドファイバ４２ａと補助光源ランプ５２とがライトガイド１７の入射端面に対して共に斜め向きに配置されている。
【０００６】
しかし、そのようなレイアウトでは、主光源ランプ（又は、主ライトガイドファイバ４２ａ）からライトガイドファイババンドルに入射する総光量のロスが大きくて効率が低下し、照明光の明るさが不十分なものになってしまう可能性がある。
【０００７】
また、特許文献１、２に記載されているその他の装置では、ライトガイドファイババンドルへの入射光路の途中に反射板等が配置されているので、構造が複雑になるだけでなく、その部分での光量ロスの発生が避けられない。
【０００８】
本願発明は、主光源ランプと補助光源ランプとを備えた内視鏡用光源装置において、主光源ランプと補助光源ランプの双方からライトガイドファイババンドルに入射する照明光のロスが共に極めて少なくて、照明効率の優れた内視鏡用光源装置を提供することを目的とする。
【課題を解決するための手段】
【０００９】
上記の目的を達成するため、本発明の内視鏡用光源装置は、内視鏡の照明用ライトガイドファイババンドルの入射端面の方に向けて平行光線束を放射するようにライトガイドファイババンドルの入射端部の軸線の延長線上にあたる位置に配置された主光源ランプと、主光源ランプから放射された平行光線束をライトガイドファイババンドルの入射端面に収束させるための収束光学系と、主光源ランプからライトガイドファイババンドルに入射する有効光線束の外縁に沿って、主光源ランプから放射された平行光線束と略同方向に補助光線束を放射するよう、主光源ランプと収束光学系との間の位置に有効光線束を遮らないように配置されたブラケットに取り付けられた補助光源ランプとを備え、補助光源ランプから射出された補助光線束が収束光学系により収束されてライトガイドファイババンドルの入射端面に入射するものである。
【００１０】
なお、補助光源ランプが、主光源ランプからライトガイドファイババンドルに入射する有効光線束の外縁の外側において、互いの間に間隔をあけてブラケットに複数取り付けられていてもよく、ブラケットがアーチ型に形成されていてもよい。
【００１１】
また、ブラケットが、補助光源ランプを機械的に支持すると同時に、補助光源ランプに給電をするための導電部材として機能していてもよく、その場合、ブラケットが、互いの間が電気絶縁された導電部材からなる一対のブラケットで形成されていてもよい。
【００１２】
また、ブラケットに放熱フィンが形成されていてもよく、補助光源ランプに放熱フィンが形成されていてもよい。或いは、補助光源ランプが取り付けられた取付基板がブラケットの光束射出側の面に取り付けられて、取付基板とブラケットとの間に熱吸収フィルタが配置されていてもよい。補助光源ランプが発光ダイオードであってもよい。
【発明の効果】
【００１３】
本発明によれば、補助光源ランプが、主光源ランプからライトガイドファイババンドルに入射する有効光線束の外縁に沿って、主光源ランプから放射された平行光線束と略同方向に補助光線束を放射するよう、主光源ランプから放射された有効光線束を遮らないように主光源ランプと収束光学系との間の位置に配置されたブラケットに取り付けられていることにより、可動ミラーやアクチュエータ等が不要なシンプルな構造により、主光源ランプと補助光源ランプの双方からライトガイドファイババンドルに極めて少ない光量ロスで照明光を入射させることができ、優れた照明効率を得ることができる。
【図面の簡単な説明】
【００１４】
【図１】本発明の第１の実施例に係る内視鏡用光源装置の内部構成の斜視図である。
【図２】本発明の第１の実施例に係る内視鏡用光源装置の内部構成の側面図である。
【図３】本発明の第１の実施例に係る内視鏡用光源装置の外観斜視図である。
【図４】本発明の第１の実施例に係る内視鏡用光源装置の補助光源ランプが取り付けられたブラケットの斜視図である。
【図５】本発明の第１の実施例に係る内視鏡用光源装置の補助光源ランプが取り付けられたブラケットの正面図である。
【図６】本発明の第２の実施例に係る内視鏡用光源装置の補助光源ランプが取り付けられたブラケットの斜視図である。
【図７】本発明の第３の実施例に係る内視鏡用光源装置の内部構成の斜視図である。
【図８】本発明の第３の実施例に係る内視鏡用光源装置の内部構成の部分分解斜視図である。
【図９】本発明の第３の実施例に係る内視鏡用光源装置の補助光源ランプが取り付けられたブラケットの正面図である。
【発明を実施するための形態】
【００１５】
以下、図面を参照して本発明の第１の実施例を説明する。
図３は、内視鏡用光源装置（兼ビデオプロセッサ）２０の外観を示している。１０は、光源装置２０に着脱自在に接続される内視鏡のコネクタ部である。
【００１６】
光源装置２０のフロントパネルには、内視鏡コネクタ部１０から突出するライトガイドコネクタ１１と信号コネクタ１２とが個別に接続されるライトガイドコネクタ受け２１と、信号コネクタ受け２２等が配置されている。
【００１７】
ライトガイドコネクタ１１の軸線位置には、内視鏡の照明光を伝送するためのライトガイドファイババンドル１３の入射端部が配置されている。また、光源装置２０内には、ライトガイドファイババンドル１３に照明光を供給するための光源ランプ等が配置されているが、図３には図示されていない。
【００１８】
図１は、ライトガイドファイババンドル１３に照明光を供給するために光源装置２０内に設けられた装置の斜視図、図２はその側面図である。内視鏡のライトガイドコネクタ１１が、前出のライトガイドコネクタ受け２１に差し込まれることによって、ライトガイドファイババンドル１３の入射端面１３ａが光源装置２０内の所定位置に位置決めされている。
【００１９】
２３は、例えばキセノン光源からなる主光源ランプであり、光源装置２０のフレーム２０Ａに、交換可能に取り付けられている。主光源ランプ２３はライトガイドファイババンドル１３の入射端部の軸線の延長線上にあたる位置に配置されており、主光源ランプ２３で発生した光線束は、主光源ランプ２３に一体に形成された反射鏡によりライトガイドファイババンドル１３の入射端面１３ａの方に向けて平行光線束として放射される。
【００２０】
２４は、主光源ランプ２３から放射された平行光線束をライトガイドファイババンドル１３の入射端面１３ａに収束させるための収束光学系である。複数の凸レンズからなる収束光学系２４は鏡枠２５によって支持されている。なお、鏡枠２５はどのようなものでも差し支えないので、二点鎖線で略示してある。
【００２１】
主光源ランプ２３からライトガイドファイババンドル１３に入射する有効光線束Ｌ１の外縁の外側に沿って、主光源ランプ２３から放射された平行光線束（有効光線束Ｌ１）と平行に補助光線束Ｌ２を放射する補助光源ランプ２６が設けられている。なお、有効光線束Ｌ１には斜線のハッチングが施され、補助光線束Ｌ２には網目状のハッチングが施されている。
【００２２】
補助光源ランプ２６は、例えばＬＥＤ（発光ダイオード）ランプ等であり、例えば撮影時のみの補助光源として用いられ、或いは相違する波長の光を補うため等に利用されるものである。
【００２３】
補助光源ランプ２６は、主光源ランプ２３と収束光学系２４との間の位置に有効光線束Ｌ１を遮らないように配置されたブラケット２７（２７Ａ，２７Ｂ）に取り付けられている。補助光源ランプ２６がＬＥＤランプ以外の光源であっても差し支えない。
【００２４】
図４は、補助光源ランプ２６が取り付けられているブラケット２７を単独で図示している。ブラケット２７は、有効光線束Ｌ１を遮らないようにフレーム２０Ａに垂直に立設された左右一対（即ち、光軸方向から見て左右一対）の脚部の上側部分が有効光線束Ｌ１の周囲を囲む円弧状をなす形状であり、一つながりの略アーチ型に形成されている。
【００２５】
そのようなブラケット２７は、補助光源ランプ２６を機械的に支持するのと同時に、補助光源ランプに給電をするための導電部材としても機能している。そのようにするために、この実施例のブラケット２７は、互いの間が電気絶縁された導電部材からなる第１と第２のブラケット２７Ａ，２７Ｂにより構成されている。
【００２６】
ブラケット２７について、より具体的に説明すると、図４及びその正面図である図５にも示されるように、第１ブラケット２７Ａには、複数の（例えば５個の）補助光源ランプ２６が、主光源ランプ２６からライトガイドファイババンドルに１３に入射する有効光線束Ｌ１の外縁の外側に沿って互いの間に間隔をあけて配置されている。
【００２７】
５個の補助光源ランプ２６は、例えば互いの間が６０°間隔で、有効光線束Ｌ１をぎりぎりで遮らないように第１ブラケット２７Ａに各々固定されている。ただし、補助光源ランプ２６の配置は有効光線束Ｌ１を遮らないものであれば他の態様であっても差し支えない。また、補助光源ランプ２６の個数は５個に限定されるものではなく、補助光源ランプ２６が一個又は複数設けられていればよい。
【００２８】
第１ブラケット２７Ａは、各補助光源ランプ２６の正負の一方の電極（例えば正極）に電気的につながっている。第２ブラケット２７Ｂは、第１ブラケット２７Ａと接触しないように第１ブラケット２７Ａに対し隙間をあけて第１ブラケット２７Ａと並んで配置されていて、各補助光源ランプ２６の正負の他方の電極（例えば負極）に電気的につながっている。
【００２９】
第２ブラケット２７Ｂは、各補助光源ランプ２６の背面部（背面電極）に接触又は固着している。第２ブラケット２７Ｂが補助光源ランプ２６を支持するように機能していてもよい。
【００３０】
このような第１ブラケット２７Ａと第２ブラケット２７Ｂを介して補助光源ランプ２６に電力が供給されると、図４に矢印で示されるように、各補助光源ランプ２６から前方に補助照明光が射出される。
【００３１】
その結果、図２に示されるように、補助光源ランプ２６から射出された照明光は、有効光線束Ｌ１の外縁部の外側に沿って有効光線束Ｌ１と略平行に進んで収束光学系２４に入射する補助光線束Ｌ２を形成し、収束光学系２４によって収束されてライトガイドファイババンドル１３の入射端面１３ａに入射する。ただし、補助光線束Ｌ２はその進行方向が有効光線束Ｌ１と概ね同方向であれば、拡散光であっても差し支えない。
【００３２】
このようにして、主光源ランプ２３と補助光源ランプ２６の各々から放射された光線束Ｌ１，Ｌ２を、共に極めて少ない光量ロスでライトガイドファイババンドル１３に入射させることができ、優れた照明効率を得ることができる。
【００３３】
図１に戻って、ブラケット２７を構成する第１ブラケット２７Ａと第２ブラケット２７Ｂは、各々の基部が、図示されていない電気絶縁材を介してフレーム２０Ａにビス止め固定されており、そのビス止め部分に電源ハーネス３１，３２が個別に締結されており、第１ブラケット２７Ａと第２ブラケット２７Ｂを介して各補助光源ランプ２６に給電されるようになっている。ただし、例えば配線基板を用いる等その他の給電構造を採っても差し支えない。
【００３４】
このように構成された内視鏡用光源装置２０のブラケット２７には、主光源ランプ２３から放射されて有効光線束Ｌ１の外側に外れた光が直に照射され、ブラケット２７及び補助光源ランプ２６が相当の高温になる可能性がある。
【００３５】
そこで、例えば図６に示される第２の実施例のように、補助光源ランプ２６と第２ブラケット２７Ｂに放熱フィン２６ｆ，２７ｆを形成してもよい。このように構成することにより、補助光源ランプ２６の熱劣化を減少させることができる。なお、この実施例では第１ブラケット２７Ａには放熱フィンが形成されていないが、第１ブラケット２７Ａにも放熱フィンを形成してよいことはもちろんである。
【００３６】
図７は、本発明の第３の実施例を示しており、補助光源ランプ２６（ここでは４個のＬＥＤランプ）が取り付けられた取付基板２８を、その部分の分解斜視図である図８にも示されるように、板状のブラケット２７′の光束射出側の面にビス止め固定し、その板状のブラケット２７′と取付基板２８との間に熱吸収フィルタ２９を挟持固定したものである。このように構成することによっても、補助光源ランプ２６の熱劣化を減少させることができる。
【００３７】
板状のブラケット２７′と取付基板２８には各々、その部分の正面図である図９にも示されるように、有効光線束Ｌ１を遮らない径の孔が中心位置を合わせて形成されている。また、図７に示されるように、各補助光源ランプ２６には給電用のハーネス３３が個々に接続されている。その他の構成は第１の実施例と同様である。なお、第３の実施例のブラケット２７′を第１の実施例のようにアーチ型に形成してもよい。
【符号の説明】
【００３８】
１３  ライトガイドファイババンドル
１３ａ  入射端面
２０  光源装置
２１  ライトガイドコネクタ受け
２３  主光源ランプ
２４  収束光学系
２６  補助光源ランプ
２６ｆ  放熱フィン
２７，２７′  ブラケット
２７Ａ  第１ブラケット
２７Ｂ  第２ブラケット
２７ｆ  放熱フィン
２８  取付基板
２９  熱吸収フィルタ
Ｌ１  有効光線束
Ｌ２  補助光線束
【図１】
2013042902.tif 000003
【図２】
2013042902.tif 000004
【図３】
2013042902.tif 000005
【図４】
2013042902.tif 000006
【図５】
2013042902.tif 000007
【図６】
2013042902.tif 000008
【図７】
2013042902.tif 000009
【図８】
2013042902.tif 000010
【図９】
2013042902.tif 000011